(57)【要約】【課題】混合手段に供給される水の温度が大きく変動した場合でも、給湯温度のオーバーシュートおよびアンダーシュートを抑制することのできる貯湯式給湯機を提供すること。【解決手段】本発明の貯湯式給湯機は、第１温水と第２温水とを混合した混合温水を排出する混合手段と、第１温水の温度を検出する第１温度検出手段と、第２温水の温度を検出する第２温度検出手段と、混合温水の温度を検出する第３温度検出手段と、混合手段の混合比を制御する制御手段と、を備え、制御手段は、混合温水の目標温度と第３温度検出手段の検出温度との差に基づいて混合比を調整するフィードバック制御を行っているときに、第２温度検出手段の検出温度の時間的な変化の傾きが予め設定された基準に比べて大きい場合には、混合比を、第１温度検出手段の検出温度、第２温度検出手段の検出温度および混合温水の目標温度に基づいて演算した混合比に制御する混合比演算処理を行う。【選択図】図６
2015090256.tif 000002
【特許請求の範囲】
【請求項１】
湯を貯える貯湯タンクと、
第１入口部、第２入口部および出口部を有し、前記貯湯タンクから前記第１入口部へ供給される第１温水と、前記第２入口部へ供給され、前記第１温水より温度の低い第２温水とを混合した混合温水を前記出口部から排出する混合手段と、
前記混合温水を出湯端末側へ送る混合温水管と、
前記第１温水の温度を検出する第１温度検出手段と、
前記第２温水の温度を検出する第２温度検出手段と、
前記混合温水の温度を検出する第３温度検出手段と、
前記混合手段による前記第１温水と前記第２温水との混合比を制御する制御手段と、
を備え、
前記制御手段は、前記混合温水の目標温度と前記第３温度検出手段の検出温度との差に基づいて前記混合手段の混合比を調整するフィードバック制御を行っているときに、前記第２温度検出手段の検出温度の時間的な変化の傾きが予め設定された基準に比べて大きい場合には、前記混合手段の混合比を、前記第１温度検出手段の検出温度、前記第２温度検出手段の検出温度および前記混合温水の目標温度に基づいて演算した混合比に制御する混合比演算処理を行う貯湯式給湯機。
【請求項２】
前記出湯端末側から戻る温水が通る戻り管と、
水源から供給される水が通る給水管と、
前記戻り管および前記給水管を前記混合手段の前記第２入口部に接続する接続管と、
前記混合手段、前記混合温水管、前記戻り管および前記接続管を含んで形成される循環回路に温水を循環させるポンプと、
を備える請求項１に記載の貯湯式給湯機。
【請求項３】
前記制御手段は、前記混合比演算処理を実行した回数が予め設定された回数に達した場合には、前記混合比演算処理を禁止する請求項１または請求項２に記載の貯湯式給湯機。
【請求項４】
前記制御手段は、前記第２温度検出手段の検出温度の時間的な変化の傾きが、前記混合比演算処理を前回実行したときの前記第２温度検出手段の検出温度の時間的な変化の傾きに対して逆向きである場合には、前記混合比演算処理を禁止する請求項１または請求項２に記載の貯湯式給湯機。
【請求項５】
前記制御手段は、前記混合比演算処理を禁止した後、前記混合温水の流量が予め設定された閾値に変化した場合、前記水源から供給される水の流量が予め設定された閾値に変化した場合、前記混合温水を出湯端末側へ送るポンプの運転の有無が変化した場合、のうちの少なくとも一つの場合に、前記混合比演算処理の禁止を解除する請求項３または請求項４に記載の貯湯式給湯機。
【発明の詳細な説明】
【技術分野】
【０００１】
本発明は、貯湯式給湯機に関する。
【背景技術】
【０００２】
貯湯タンクから供給される湯と、水とを湯水電動混合弁で混合することで給湯温度を調節する貯湯式給湯機において、湯水電動混合弁から流出する混合湯の温度をセンサで検出し、目標温度との偏差に基づいてフィードバック的に湯水電動混合弁の開度を補正する技術が広く用いられている（例えば、特許文献１参照）。
【先行技術文献】
【特許文献】
【０００３】
【特許文献１】特開２００８−１６４２８６号公報
【発明の概要】
【発明が解決しようとする課題】
【０００４】
しかしながら、従来の貯湯式給湯機において、湯水電動混合弁に供給される水の温度が何らかの理由で大きく変動した場合、混合弁の開度調整が間に合わず、給湯温度が目標温度を大きく超えるオーバーシュート、または、給湯温度が目標温度を大きく下回るアンダーシュートが発生し、使用感を損なうという課題がある。
【０００５】
本発明は、上述のような課題を解決するためになされたもので、混合手段に供給される水の温度が大きく変動した場合でも、給湯温度のオーバーシュートおよびアンダーシュートを抑制することのできる貯湯式給湯機を提供することを目的とする。
【課題を解決するための手段】
【０００６】
本発明に係る貯湯式給湯機は、湯を貯える貯湯タンクと、第１入口部、第２入口部および出口部を有し、貯湯タンクから第１入口部へ供給される第１温水と、第２入口部へ供給され、第１温水より温度の低い第２温水とを混合した混合温水を出口部から排出する混合手段と、混合温水を出湯端末側へ送る混合温水管と、第１温水の温度を検出する第１温度検出手段と、第２温水の温度を検出する第２温度検出手段と、混合温水の温度を検出する第３温度検出手段と、混合手段による第１温水と第２温水との混合比を制御する制御手段と、を備え、制御手段は、混合温水の目標温度と第３温度検出手段の検出温度との差に基づいて混合手段の混合比を調整するフィードバック制御を行っているときに、第２温度検出手段の検出温度の時間的な変化の傾きが予め設定された基準に比べて大きい場合には、混合手段の混合比を、第１温度検出手段の検出温度、第２温度検出手段の検出温度および混合温水の目標温度に基づいて演算した混合比に制御する混合比演算処理を行うものである。
【発明の効果】
【０００７】
本発明によれば、混合手段に供給される水の温度が大きく変動した場合でも、給湯温度のオーバーシュートおよびアンダーシュートを抑制することが可能となる。
【図面の簡単な説明】
【０００８】
【図１】本発明の実施の形態１の貯湯式給湯機を示す構成図である。
【図２】本発明の実施の形態１の貯湯式給湯機の即湯循環運転中の湯水の流れを表す図である。
【図３】本発明の実施の形態１の貯湯式給湯機の即湯大流量給湯運転中の湯水の流れを表す図である。
【図４】本発明の実施の形態１の貯湯式給湯機の即湯小流量給湯運転中の湯水の流れを表す図である。
【図５】即湯循環運転中に水栓が大きく開かれるなどして即湯大流量給湯運転に遷移する場合の第２温水の温度の変化を示すグラフである。
【図６】本発明の実施の形態１の貯湯式給湯機の混合弁の混合比を制御するために制御部が実行する処理を示すフローチャートである。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１の貯湯式給湯機を示す構成図である。図１に示すように、本実施の形態１の貯湯式給湯機１は、貯湯タンク２と、温度の異なる二つの湯水を混ぜ合わせる混合手段としての混合弁３と、即湯ポンプ４と、給水管５と、給湯管８と、接続管９と、混合温水管１１と、戻り管１８と、制御部１６とを備える。
【００１１】
貯湯タンク２内には、上側が高温、下側が低温となる温度成層を形成して、湯水が貯留される。給水管５の上流端は、水道等の水源に接続される。給水管５の下流側は、給水管５ａと給水管５ｂとの二手に分岐している。給水管５ａは、貯湯タンク２の下部に接続されている。水源からの水が給水管５ａを通って、貯湯タンク２内の下部に流入することにより、貯湯タンク２内は常に満水状態に維持される。貯湯タンク２内に貯留された水は、図示しない熱源により加熱され、高温の湯になる。この熱源は、例えば、貯湯タンク２と配管を介して接続されるヒートポンプ式熱源機、あるいは貯湯タンク２の内部に設置される電気ヒータなど、いかなるものでも良い。
【００１２】
混合弁３は、第１入口部３ａ、第２入口部３ｂおよび出口部３ｃを有する。第１入口部３ａと、貯湯タンク２の上部とは、給湯管８を介して接続されている。貯湯タンク２内の高温の湯（例えば８０℃〜９０℃程度）が給湯管８を通って第１入口部３ａに供給される。以下の説明では、貯湯タンク２から第１入口部３ａに供給される湯を「第１温水」と称する。第２入口部３ｂには、第２温水より温度の低い湯水が供給される。以下の説明では、第２入口部３ｂに供給される湯を「第２温水」と称する。混合弁３は、第１温水と第２温水とを混合した温水である混合温水を出口部３ｃから排出する。混合弁３は、第１温水と第２温水との混合比を任意に調整できるように構成される。例えば、混合弁３は、第１入口部３ａ側の開口面積と第２入口部３ｂ側の開口面積との比率を可変とするように回転可能に設けられた弁体と、その回転角度を制御するステッピングモータとを備えることにより、第１温水と第２温水との混合比を調整可能に構成される。
【００１３】
出口部３ｃには、混合温水管１１の上流端が接続されている。混合温水管１１の下流端は、貯湯式給湯機１の外部に延びる外部給湯管１４の上流端に接続されている。外部給湯管１４の下流側には、湯を使用する出湯端末である水栓１５が設けられている。水栓１５と、貯湯式給湯機１とは、水栓１５で出湯しなかった温水を貯湯式給湯機１へ戻す外部戻り管１７を介してさらに接続されている。外部戻り管１７の下流端は、貯湯式給湯機１内の戻り管１８の上流端に接続されている。戻り管１８の下流端と、給水管５ｂとは、接続管９を介して、混合弁３の第２入口部３ｂに接続されている。
【００１４】
貯湯式給湯機１は、水源から給水管５に供給される水の流量である給水流量を検出する給水流量センサ６と、混合弁３の第１入口部３ａに供給される第１温水の温度を検出する第１温度センサ７（第１温度検出手段）と、混合弁３の第２入口部３ｂに供給される第２温水の温度を検出する第２温度センサ１０（第２温度検出手段）と、混合温水管１１を流れる混合温水の流量を検出する混合温水流量センサ１２と、混合弁３で生成された混合温水の温度を検出する給湯温度センサ１３（第３温度検出手段）とを備える。混合弁３で生成された混合温水の温度を以下「給湯温度」と称する。
【００１５】
給水流量センサ６は、給水管５ａ，５ｂの分岐部より上流側の給水管５に設置されている。第１温度センサ７は、図示の構成では貯湯タンク２の上部に設置されているが、第１温度センサ７の設置箇所は給湯管８の途中でも良い。第２温度センサ１０は、図示の構成では給水管５ｂと戻り管１８と接続管９との接続部に設置されているが、第２温度センサ１０の設置箇所は接続管９の途中でも良い。これらの位置に第２温度センサ１０を設置することにより、水栓１５から外部戻り管１７および戻り管１８を通って戻ってきた温水と、水源から給水管５ｂを通って供給される水との混合水が第２温水として接続管９を通って混合弁３の第２入口部３ｂに供給される場合にも、この第２温水の温度を正しく検出することができる。混合温水流量センサ１２および給湯温度センサ１３は、混合温水管１１の途中に設置されている。混合温水管１１の途中には、即湯ポンプ４がさらに設置されている。この即湯ポンプ４の設置箇所は、混合温水管１１の途中に限定されるものではなく、後述する循環回路上の位置であればどこでも良い。
【００１６】
制御部１６（制御手段）は、例えばマイクロコンピュータ等により構成され、ＲＯＭ、ＲＡＭ、不揮発性メモリ等を含む記憶部と、記憶部に記憶されたプログラムに基いて所定の演算処理を実行する演算処理装置（ＣＰＵ）と、演算処理装置に対して外部の信号を入出力する入出力ポートとを備える。制御部１６は、前述した混合弁３、即湯ポンプ４、給水流量センサ６、第１温度センサ７、第２温度センサ１０、混合温水流量センサ１２および給湯温度センサ１３と、ユーザーインターフェース装置としてのリモコン装置２０とにそれぞれ接続される。使用者は、水栓１５で使用する湯の温度をリモコン装置２０にて設定することができる。
【００１７】
制御部１６は、リモコン装置２０で設定された温度を目標温度とし、目標温度と給湯温度センサ１３の検出温度との偏差に基づいて混合弁３の混合比を調整するフィードバック制御を行う機能を有する。また、制御部１６は、第１温度センサ７の検出温度、第２温度センサ１０の検出温度、および目標温度に基づいて混合弁３の混合比を演算する機能を備える。
【００１８】
本実施の形態１の貯湯式給湯機１では、即湯ポンプ４を運転することで、混合弁３、混合温水管１１、外部給湯管１４、外部戻り管１７、戻り管１８および接続管９を含んで形成される循環回路に温水を循環させる即湯循環運転を行うことができる。水栓１５が閉じられた状態でも、即湯循環運転を行うことで、混合弁３にて目標温度に調整された混合温水を混合温水管１１、外部給湯管１４および水栓１５の近傍に循環供給することができる。このため、使用者が水栓１５を開いたときに、目標温度に調整された混合温水を即座に水栓１５から出湯することができる。
【００１９】
図２は、本実施の形態１の貯湯式給湯機１の即湯循環運転中の湯水の流れを表す図である。図２は、即湯ポンプ４を運転しているが、水栓１５が閉じられた状態である。以下では、混合温水の目標温度を６０℃として説明する。即湯ポンプ４を運転し、目標温度と給湯温度センサ１３の検出温度との偏差に基づいて混合弁３の混合比を調整するフィードバック制御を制御部１６が行うことで、混合弁３より６０℃の混合温水が出湯される。この混合温水は、混合温水管１１、外部給湯管１４、外部戻り管１７、戻り管１８および接続管９を循環する。外部戻り管１７から貯湯式給湯機１の戻り管１８に戻る温水を以下「戻り温水」と称する。戻り温水の温度は、外部給湯管１４および外部戻り管１７の長さなどによっても異なるが、混合弁３で生成された混合温水の温度すなわち給湯温度に比べて、放熱により例えば５℃程度低下する。このため、以下では、戻り温水の温度を５５℃として説明する。水栓１５が閉じられた状態の即湯循環運転中は、戻り管１８を通過した戻り温水は、接続管９と給水管５ｂとに分岐する。すなわち、混合弁３の第２入口部３ｂには、５５℃の戻り温水が第２温水として供給される。このため、第２温水の温度は、戻り温水の温度と同じ５５℃で安定する。混合弁３の第１入口部３ａには、貯湯タンク２から給湯管８を通って例えば８０℃〜９０℃の第１温水が供給される。戻り温水の一部は、給水管５ｂ，５ａを通って、貯湯タンク２内に流入する。このような即湯循環運転の状態で、水栓１５を開けば、即座に温かい湯を水栓１５から出湯することができる。
【００２０】
図３は、本実施の形態１の貯湯式給湯機１の即湯大流量給湯運転中の湯水の流れを表す図である。図３に示す即湯大流量給湯運転とは、即湯ポンプ４を運転し、かつ水栓１５が比較的大きく開かれ、水栓１５から比較的大きい流量（例えば８Ｌ／分）で出湯する状態である。即湯大流量給湯運転では、水栓１５から出湯する流量が大きいため、外部戻り管１７へ戻る流量が比較的小さい。水栓１５から出湯する流量に等しい流量の水が水源から給水管５に供給される。給水管５を流れる水は、給水管５ａ，５ｂに分かれ、貯湯タンク２と接続管９との双方に供給される。よって、戻り管１８から供給される５５℃の戻り温水と、水源から給水管５ｂを通って供給される低温水との混合水が接続管９を通って混合弁３の第２入口部３ｂに供給される。このため、第２入口部３ｂに供給される第２温水の温度は、５５℃の戻り温水より低い温度になる。以下では、即湯大流量給湯運転中の第２温水の温度が３０℃になるものとして説明する。即湯大流量給湯運転が継続すると、第２温水の温度は３０℃で安定する。このため、目標温度と給湯温度センサ１３の検出温度との偏差に基づいて混合弁３の混合比を調整するフィードバック制御を制御部１６が行うことで、給湯温度が目標温度である６０℃で安定する。
【００２１】
図４は、本実施の形態１の貯湯式給湯機１の即湯小流量給湯運転中の湯水の流れを表す図である。図４に示す即湯小流量給湯運転とは、即湯ポンプ４を運転し、かつ水栓１５が比較的小さく開かれ、水栓１５から比較的小さい流量（例えば３Ｌ／分）で出湯する状態である。即湯小流量給湯運転では、水栓１５から出湯する流量が小さいため、外部戻り管１７，戻り管１８へ戻る流量が比較的大きい。水栓１５から出湯する流量に等しい流量の水が水源から給水管５に供給される。戻り管１８を通過した戻り湯は、接続管９と給水管５ｂとに分かれる。給水管５を流れる水は、給水管５ｂには流入せず、給水管５ａのみに流入する。給水管５ａでは、水源からの低温水と、戻り管１８から給水管５ｂを通って流入した戻り温水とが合流し、貯湯タンク２へ流入する。混合弁３の第２入口部３ｂには、５５℃の戻り温水のみが第２温水として供給される。このため、即湯小流量給湯運転が継続すると、第２温水の温度は、戻り温水の温度と同じ５５℃で安定する。このため、目標温度と給湯温度センサ１３の検出温度との偏差に基づいて混合弁３の混合比を調整するフィードバック制御を制御部１６が行うことで、給湯温度が目標温度である６０℃で安定する。
【００２２】
上述したように、即湯大流量給湯運転のときの第２温水の温度（３０℃）は、即湯循環運転または即湯小流量給湯運転のときの第２温水の温度（５５℃）に比べて、大幅に低くなる。このため、即湯大流量給湯運転のときの混合弁３における第２温水の混合比すなわち第２入口部３ｂ側の開度は、即湯循環運転または即湯小流量給湯運転のときに比べて、大幅に小さい。また、即湯大流量給湯運転のときの混合弁３における第１温水の混合比すなわち第１入口部３ａ側の開度は、即湯循環運転または即湯小流量給湯運転のときに比べて、大幅に大きい。このように、即湯大流量給湯運転と、即湯循環運転または即湯小流量給湯運転とでは、混合弁３の混合比が大きく異なる。即湯循環運転または即湯小流量給湯運転で給湯温度をフィードバック制御しているときに、水栓１５が大きく開かれ、即湯大流量給湯運転に遷移した場合、第２温水の温度が急激に低下する。その場合、フィードバック制御による混合弁３の混合比の調整が間に合わないため、給湯温度が一時的に目標温度を大きく下回るアンダーシュートが発生する。逆に、即湯大流量給湯運転で給湯温度をフィードバック制御しているときに、水栓１５の開度が小さくされ、即湯小流量給湯運転または即湯循環運転に遷移した場合、第２温水の温度が急激に上昇する。その場合、フィードバック制御による混合弁３の混合比の調整が間に合わないため、給湯温度が一時的に目標温度を大きく上回るオーバーシュートが発生する。
【００２３】
本実施の形態１では、上述したアンダーシュートおよびオーバーシュートを抑制するため、混合弁３の第２入口部３ｂに流入する第２温水の温度が急激に変化した場合には、制御部１６は、第１温度センサ７の検出温度、第２温度センサ１０の検出温度、および目標温度に基づいて混合弁３の混合比を演算し、混合弁３の実際の混合比がその演算した混合比になるように制御する混合比演算処理を行うこととした。
【００２４】
図５は、即湯循環運転中に水栓１５が大きく開かれるなどして即湯大流量給湯運転に遷移する場合の第２温水の温度の変化を示すグラフである。図６は、本実施の形態１の貯湯式給湯機１において混合弁３の混合比を制御するために制御部１６が実行する処理を示すフローチャートである。
【００２５】
図６のステップＳ１で処理を開始すると、制御部１６は、混合弁３のフィードバック制御を行う（ステップＳ２）。すなわち、ステップＳ２で制御部１６は、目標温度と給湯温度センサ１３の検出温度との偏差に基づいて混合弁３の混合比を調整することにより、給湯温度センサ１３で検出される給湯温度が目標温度である６０℃に一致するように制御する。
【００２６】
ステップＳ２のフィードバック制御を行っているとき、制御部１６は、第２温度センサ１０の検出温度の時間的な変化の傾きを予め設定された基準と比較することにより、混合弁３の第２入口部３ｂに流入する第２温水の温度が急激に変化したかどうかを判定する（ステップＳ３）。本実施の形態１では、制御部１６は、第２温度センサ１０の検出温度を所定の時間間隔（本実施の形態１では０．５秒毎とする。）で監視し、所定温度幅（本実施の形態１では２℃とする。）未満の変動である場合には第２温水の温度の急変はないと判定し、所定温度幅以上の変動があった場合には第２温水の温度が急変したと判定する。すなわち、ステップＳ３で、制御部１６は、第２温度センサ１０の検出温度の時間的な変化の傾きが、０．５秒当たり２℃未満である場合には、第２温水の温度の急変はないと判定する。この場合には、制御部１６は、ステップＳ２に戻り、フィードバック制御を継続する。
【００２７】
一方、ステップＳ３で、制御部１６は、第２温度センサ１０の検出温度の時間的な変化の傾きが、０．５秒当たり２℃以上である場合には、第２温水の温度が急変したと判定する。この場合には、制御部１６は、ステップＳ４に移行する。
【００２８】
上記ステップＳ３の処理について、図５に示す例に基づき説明する。前述したように、即湯循環運転中は、第２温水の温度は、戻り管１８の戻り温水の温度とほぼ同等の５５℃で安定する。このため、即湯循環運転中は、ステップＳ３でＮＯと判定されるので、ステップＳ２のフィードバック制御が継続され、混合弁３の混合比も安定した状態に収束する。このような即湯循環運転中の状態で、水栓１５が大きく開かれるなどして即湯大流量給湯運転へ遷移した場合には、図５に示すように、水源から給水管５ｂを通って供給される低温水が接続管９に流入し始め、接続管９で戻り温水と混合することにより、第２温水の温度が急激に低下する。このとき、図５中のＢの区間では０．５秒当たりの第２温度センサ１０の検出温度の変化が２℃未満の１℃であるので、ステップＳ３でＮＯと判定され、ステップＳ２へ移行する。一方、図５中のＣの区間では０．５秒当たりの第２温度センサ１０の検出温度の変化が２℃以上であるので、ステップＳ３でＹＥＳと判定され、ステップＳ４へ移行する。
【００２９】
ステップＳ４で、制御部１６は、第１温度センサ７の検出温度、第２温度センサ１０の検出温度、および目標温度に基づいて混合弁３の混合比を演算し、その演算された混合比になるように混合弁３を制御する混合比演算処理を行う。本実施の形態１では、制御部１６は、第１温度センサ７の検出温度をＴ１、第２温度センサ１０の検出温度をＴ２、目標温度をＴｓ、混合弁３の第１温水の混合比をＭ１としたとき、次式に基づいてＭ１を演算する。
Ｍ１＝（Ｔｓ−Ｔ２）／（Ｔ１−Ｔ２）
【００３０】
このように、ステップＳ４では、給湯温度センサ１３の検出温度に基づくフィードバック制御を一時中断し、混合弁３の第１温度センサ７の検出温度および第２温度センサ１０の検出温度に基づいて混合弁３の混合比を決定することで給湯温度をフィードフォワード的に制御する。このため、第２温水の温度が急激に変化した場合であっても、給湯温度のアンダーシュートまたはオーバーシュートを確実に抑制することができ、混合温水を目標温度に近い温度に維持することができる。すなわち、図５に示す例の場合で説明すると、ステップＳ４の混合比演算処理を行わずにフィードバック制御を継続したと仮定した場合には、第２温水の温度の急激な低下に対して、給湯温度センサ１３の検出温度に基づく混合弁３の混合比の調整が追従できず、給湯温度のアンダーシュートが発生する。これに対し、本実施の形態１によれば、第２温水の温度の急激な低下をステップＳ３で検知し、ステップＳ４の混合比演算処理を行うことで、給湯温度のアンダーシュートが発生することを確実に抑制することができる。
【００３１】
制御部１６は、混合比演算処理を行った後、第２温度センサ１０の検出温度の時間的な変化の傾きが予め設定された基準に比べて小さくなった場合には、第２温水の温度の急変が終わったと判断し、混合弁３のフィードバック制御を再開する。すなわち、本実施の形態１では、制御部１６は、第２温度センサ１０の検出温度の時間的な変化の傾きが、０．５秒当たり２℃未満になった場合には、混合弁３のフィードバック制御を再開する。図５に示す例の場合で説明すると、図５中のＤの区間では０．５秒当たりの第２温度センサ１０の検出温度の変化が２℃未満の０．５℃であるので、制御部１６は混合弁３のフィードバック制御を再開する。
【００３２】
このように、本実施の形態１では、混合比演算処理を行うことにより、水栓１５への給湯温度のアンダーシュートおよびオーバーシュートの発生を確実に抑制することができる。
【００３３】
前述したように、貯湯式給湯機１は、水栓１５の出湯流量が大きい場合には図３に示す即湯大流量給湯運転の状態になり、水栓１５の出湯流量が小さい場合には図４に示す即湯小流量給湯運転の状態になる。水栓１５の出湯流量が、即湯大流量給湯運転状態となる大流量の範囲と、即湯小流量給湯運転状態となる小流量の範囲との境の流量（例えば４Ｌ／分。以下、「境界流量」と称する。）のときには、混合比演算処理によって混合弁３の混合比を大幅に変更した際に、即湯大流量給湯運転から即湯小流量給湯運転に、またはその逆に、運転状態が切り替わる可能性がある。図３および図４から分かるように、給水管５ｂの流れ方向が逆転すると、即湯大流量給湯運転と即湯小流量給湯運転とが切り替わる。以下、例を挙げて説明する。
【００３４】
ここでは、即湯循環運転中に水栓１５が開かれ、水栓１５の流量が境界流量である４Ｌ／分となり、即湯大流量給湯運転に遷移したとする。即湯循環運転から即湯大流量給湯運転への遷移に伴い、水源から給水管５ｂを通って供給される低温水が接続管９に流入し始め、戻り管１８から接続管９に流入する戻り温水と混合することにより、第２温水の温度が例えば５５℃から３０℃へ急激に低下する。これに伴い、制御部１６は混合比演算処理を行う。この混合比演算処理により、混合弁３は、貯湯タンク２からの湯である第１温水の混合比を増大し、第２温水の混合比を減少するように、混合比が大幅に変更される。すなわち、この混合比演算処理では、混合弁３の開度は、第１入口部３ａ側の開度を拡大し、第２入口部３ｂ側の開度を縮小するように、大幅に変更される。その結果、接続管９から第２入口部３ｂへ流入する第２温水の流量が急減するので、水源から給水管５ｂを通って接続管９に向かう方向には水が流れにくくなる。その一方で、混合弁３の第１入口部３ａへ流入する第１温水の流量、すなわち貯湯タンク２から給湯管８へ流出する湯の流量が急増するので、給水管５ａから貯湯タンク２へ流入する水の流量が急増する。このため、戻り管１８から給水管５ｂを通って給水管５ａへ向かう方向に水が流れ易くなる。これらのことから、給水管５ｂの流れ方向が逆転し、戻り管１８から給水管５ｂを通って給水管５ａへ向かう方向に流れが形成される。その結果、即湯小流量給湯運転の状態となる。このようにして、即湯循環運転から即湯大流量給湯運転へ遷移したことに伴う混合比演算処理に起因して、即湯大流量給湯運転からさらに即湯小流量給湯運転へ遷移する。
【００３５】
上記のようにして即湯大流量給湯運転から即湯小流量給湯運転へ遷移すると、接続管９への低温水の流入が停止し、戻り管１８からの戻り温水のみが接続管９に流入する状態になるため、第２温水の温度が例えば３０℃から５５℃へ急激に上昇する。これに伴い、制御部１６は混合比演算処理を行う。この混合比演算処理により、混合弁３は、貯湯タンク２からの第１温水の混合比を減少し、第２温水の混合比を増大するように、混合比が大幅に変更される。すなわち、この混合比演算処理では、混合弁３の開度は、第１入口部３ａ側の開度を縮小し、第２入口部３ｂ側の開度を拡大するように、大幅に変更される。その結果、混合弁３の第１入口部３ａへ流入する第１温水の流量、すなわち貯湯タンク２から給湯管８へ流出する湯の流量が急減するので、給水管５ａから貯湯タンク２へ流入する水の流量が急減する。このため、戻り管１８から給水管５ｂを通って給水管５ａへ向かう方向に水が流れにくくなる。その一方で、接続管９から第２入口部３ｂへ流入する第２温水の流量が急増するので、水源から給水管５ｂを通って接続管９に向かう方向に水が流れ易くなる。これらのことから、給水管５ｂの流れ方向が再度逆転し、水源から給水管５ｂを通って接続管９に向かう方向に流れが形成される。その結果、即湯大流量給湯運転の状態となる。このようにして、即湯大流量給湯運転から即湯小流量給湯運転へ遷移したことに伴う混合比演算処理に起因して、即湯小流量給湯運転から即湯大流量給湯運転へ戻ってしまう。
【００３６】
水栓１５の出湯流量が境界流量である場合には、上述のようにして、混合比演算処理が行われるたびに即湯大流量給湯運転と即湯小流量給湯運転とが切り替わることで、即湯大流量給湯運転と即湯小流量給湯運転とが交互に繰り返す現象が発生する可能性がある。この現象が発生すると、水栓１５への給湯温度がいつまでも安定せず、ハンチングするおそれがある。
【００３７】
上述したハンチングの発生を確実に抑制するために、制御部１６は、混合比演算処理を実行した回数をカウントし、その実行回数が予め設定した回数（例えば３回）に達した場合には、それ以降は混合比演算処理の実行を禁止するようにしても良い。これにより、水栓１５の出湯流量が境界流量である場合にも、即湯大流量給湯運転と即湯小流量給湯運転とが交互に繰り返すことを確実に抑制できるので、上述したハンチングの発生を確実に抑制できる。このようにして混合比演算処理の実行を禁止した後、水栓１５の開度変化などにより水栓１５からの出湯状態が変化した場合、または即湯ポンプ４の運転の有無（ＯＮ／ＯＦＦ）が変化した場合には、ハンチング発生の可能性がなくなったとみなすことができるので、混合比演算処理の実行回数のカウントをゼロクリアする、すなわち混合比演算処理の禁止を解除して良い。その場合、水栓１５からの出湯状態の変化については、給水流量センサ６で検出される給水流量が予め設定された閾値（例えば１Ｌ／分）を跨いで変化した場合に水栓１５からの出湯状態が変化したとみなすことができる。または、混合温水流量センサ１２で検出される混合温水流量が予め設定された閾値（例えば１Ｌ／分）を跨いで変化した場合に水栓１５からの出湯状態が変化したとみなしても良い。なお、上記閾値は０Ｌ／分でも良い。すなわち、給水流量センサ６で検出される給水流量がゼロになった場合に水栓１５からの出湯状態が変化したとみなしても良いし、混合温水流量センサ１２で検出される混合温水流量がゼロになった場合に水栓１５からの出湯状態が変化したとみなしても良い。以上をまとめると、制御部１６は、混合比演算処理の実行を禁止した後、混合温水流量センサ１２で検出される混合温水流量が予め設定された閾値に変化した場合、給水流量センサ６で検出される給水流量が予め設定された閾値に変化した場合、即湯ポンプ４の運転の有無（ＯＮ／ＯＦＦ）が変化した場合、のうちの少なくとも一つの場合には、ハンチング発生の可能性がなくなったとみなすことができるので、混合比演算処理の禁止を解除して良い。
【００３８】
また、上記の方法に代えて、以下のような方法でも、上述したハンチングの発生を確実に抑制することができる。この方法の場合には、制御部１６は、混合比演算処理を実行したときの、第２温度センサ１０の検出温度の時間的な変化の傾きの正負を記憶する。即湯小流量給湯運転から即湯大流量給湯運転へ遷移する場合には第２温度センサ１０の検出温度の時間的な変化の傾きは図５のように負となる。一方、即湯大流量給湯運転から即湯小流量給湯運転へ遷移する場合には第２温度センサ１０の検出温度の時間的な変化の傾きは正となる。そこで、制御部１６は、第２温度センサ１０の検出温度の時間的な変化の傾きが、混合比演算処理を前回実行したときの第２温度センサ１０の検出温度の時間的な変化の傾きに対して逆になっている場合には、混合比演算処理の実行を禁止する。これにより、即湯大流量給湯運転と即湯小流量給湯運転とが交互に繰り返すことを確実に抑制できるので、ハンチングの発生を確実に抑制できる。この方法の場合にも、上記の方法と同様に、制御部１６は、混合比演算処理の実行を禁止した後、混合温水流量センサ１２で検出される混合温水流量が予め設定された閾値に変化した場合、給水流量センサ６で検出される給水流量が予め設定された閾値に変化した場合、即湯ポンプ４の運転の有無（ＯＮ／ＯＦＦ）が変化した場合、のうちの少なくとも一つの場合には、ハンチング発生の可能性がなくなったとみなすことができるので、混合比演算処理の禁止を解除して良い。
【符号の説明】
【００３９】
１  貯湯式給湯機、２  貯湯タンク、３  混合弁、３ａ  第１入口部、３ｂ  第２入口部、３ｃ  出口部、４  即湯ポンプ、５，５ａ，５ｂ  給水管、６  給水流量センサ、７  第１温度センサ、８  給湯管、９  接続管、１０  第２温度センサ、１１  混合温水管、１２  混合温水流量センサ、１３  給湯温度センサ、１４  外部給湯管、１５  水栓、１６  制御部、１７  外部戻り管、１８  戻り管、２０  リモコン装置
【図１】
2015090256.tif 000003
【図２】
2015090256.tif 000004
【図３】
2015090256.tif 000005
【図４】
2015090256.tif 000006
【図５】
2015090256.tif 000007
【図６】
2015090256.tif 000008